(57)【要約】【課題】            騒音・振動が少なく操作性を向上した電気掃除機及びその吸込具を提供することを目的とする。【解決手段】        電気掃除機用床用吸込具４は、吸塵口７と、一端が吸塵口７に、他端が可動自在の接続管５にそれぞれ連通する吸塵通路１２と、この吸塵通路１２の両側にそれぞれ設けられた右室１３及び左室１４とが形成された吸込具ケース６と、吸塵口７に対応して吸込具ケース６内に収納され、一対の軸受け８により回転自在とされた回転除塵体９と、この回転除塵体９に回転駆動力を伝達させる駆動伝達体１０、１８、１９と、この駆動伝達体１０、１８、１９を介して回転除塵体９を駆動する駆動モータ１６とを備える。吸塵通路１２を左右に横断する断面略半円形状の仕切壁３０により、吸込具ケース６内にモータ室３１を形成し、このモータ室３１内に駆動モータ１６を収納する。【選択図】          図２
2005131188.tif 000002
【特許請求の範囲】
【請求項１】
被清掃面から塵埃を吸引するための吸込具を有し、
前記吸込具は、底面前部に設けられた横長の吸塵口と、一端が該吸塵口に、他端が可動自在の接続管にそれぞれ連通する吸塵通路と、該吸塵通路の両側にそれぞれ設けられた右室及び左室とが形成された吸込具ケースと、
前記吸塵口に対応して前記吸込具ケース内に収納され、一対の軸受けにより回転自在とされた回転除塵体と、
該回転除塵体に回転駆動力を伝達させる駆動伝達体と、
該駆動伝達体を介して前記回転除塵体を駆動する駆動モータとを備え、
前記吸塵通路を左右に横断する断面略半円形状の仕切壁により、前記吸込具ケース内にモータ室を形成し、該モータ室内に前記駆動モータを収納したことを特徴とする電気掃除機。
【請求項２】
前記モータ室を、前記吸塵通路の下側に形成したことを特徴とする請求項１に記載の電気掃除機。
【請求項３】
前記モータ室を、前記吸塵通路の上側に形成したことを特徴とする請求項１に記載の電気掃除機。
【請求項４】
前記モータ室には、前記右室乃至前記左室に連通する連通孔を設けたことを特徴とする請求項１乃至３のいずれかに記載の電気掃除機。
【請求項５】
前記左室乃至前記右室には前記吸込具ケースの内外を連通する外気導入口を設けたことを特徴とする請求項４に記載の電気掃除機。
【請求項６】
前記仕切壁には、前記接続管方向に開口する冷却口を設けたことを特徴とする請求項１乃至５記載の電気掃除機。
【請求項７】
底面前部に設けられた横長の吸塵口と、一端が該吸塵口に、他端が可動自在の接続管にそれぞれ連通する吸塵通路と、該吸塵通路の両側にそれぞれ設けられた右室及び左室とが形成された吸込具ケースと、
前記吸塵口に対応して前記吸込具ケース内に収納され、一対の軸受けにより回転自在とされた回転除塵体と、
該回転除塵体に回転駆動力を伝達させる駆動伝達体と、
該駆動伝達体を介して前記回転除塵体を駆動する駆動モータとを備え、
前記吸塵通路を左右に横断する断面略半円形状の仕切壁により、前記吸込具ケース内にモータ室を形成し、該モータ室内に前記駆動モータを収納したことを特徴とする電気掃除機用吸込具。
【発明の詳細な説明】
【技術分野】
【０００１】
本発明は、回転除塵体及びこの回転除塵体を駆動する駆動モータを備えた電気掃除機、及びその吸込具に関するものである。
【背景技術】
【０００２】
回転除塵体を有し、この回転除塵体を回転させるモータを備えた電気掃除機の吸込具は、内部に設けられた駆動モータの一方にベルトを介して回転除塵体を回転させている。そして、この回転除塵体の回転によってじゅうたんから塵埃を効果的に掻き出して吸塵口から清掃気流と共に吸引することにより、そのじゅうたんの掃除を効果的に行うようにしていた。ところで、回転除塵体を回転するための駆動モータは、清掃気流と共に掻き出した塵埃を吸い込む吸塵通路の一部を遮断するように左右方向に配置されていた。この駆動モータの側面と下側に吸塵通路が形成され、掻き出した塵埃は清掃気流と共に両吸塵通路から吸い込まれていた。（特許文献１参照）。
【０００３】
【特許文献１】特開２００２−３２０５７５号公報
【発明の開示】
【発明が解決しようとする課題】
【０００４】
しかしながら、従来の電気掃除機の吸込具に設けられた駆動モータは吸塵通路の一部を遮断するよう左右方向に配置されていたため、回路基板と駆動モータとを結ぶリード線が長くなり、リード線をしっかり保持することが必要とされたが吸塵通路内にリード線を通した場合、露出したリード線に塵埃が引っかかってしまうなどの不都合が生じてしまうなど、リード線の引きまわし処理が複雑になるという問題があった。
【０００５】
また、吸塵口から吸引した塵埃と清掃気流は駆動モータの下側の吸塵通路と駆動モータ側面の隙間の双方から吸引するように構成されているが、駆動モータが吸塵通路の一部を遮断するよう配置されているため、駆動モータ側面の吸塵通路はどうしても駆動モータ下側の吸塵通路よりも狭くなり、駆動モータ付近での吸塵通路の面積変化が大きくなってしまう。このため、吸い込まれる塵埃は抵抗の少ない駆動モータ下側の吸塵通路を通過するようになり、駆動モータ下側の吸塵通路を通過する際、吸い込まれた清掃気流は流速が上がり騒音発生の一因となっていた。
【０００６】
また、上述のような吸塵通路の大きな断面積の変化は清掃気流を乱流としてしまい、渦流が発生して振動発生の一因になっていた。また、駆動モータ側面の隙間は狭いため、塵埃が詰まり易く、また塵埃が詰まると風切り音など騒音発生の一因になるという問題もあった。
【０００７】
本発明は、前記課題に鑑み為されたものであり、騒音・振動が少なく操作性を向上した電気掃除機及びその吸込具を提供することを目的とする。
【課題を解決するための手段】
【０００８】
即ち、本発明の電気掃除機は、被清掃面から塵埃を吸引するための吸込具を有し、前記吸込具は、底面前部に設けられた横長の吸塵口と、一端が該吸塵口に、他端が可動自在の接続管にそれぞれ連通する吸塵通路と、該吸塵通路の両側にそれぞれ設けられた右室及び左室とが形成された吸込具ケースと、前記吸塵口に対応して前記吸込具ケース内に収納され、一対の軸受けにより回転自在とされた回転除塵体と、該回転除塵体に回転駆動力を伝達させる駆動伝達体と、該駆動伝達体を介して前記回転除塵体を駆動する駆動モータとを備え、前記吸塵通路を左右に横断する断面略半円形状の仕切壁により、前記吸込具ケース内にモータ室を形成し、該モータ室内に前記駆動モータを収納したことを特徴とする。
【０００９】
また、本発明の電気掃除機用吸込具は、底面前部に設けられた横長の吸塵口と、一端が該吸塵口に、他端が可動自在の接続管にそれぞれ連通する吸塵通路と、該吸塵通路の両側にそれぞれ設けられた右室及び左室とが形成された吸込具ケースと、前記吸塵口に対応して前記吸込具ケース内に収納され、一対の軸受けにより回転自在とされた回転除塵体と、該回転除塵体に回転駆動力を伝達させる駆動伝達体と、該駆動伝達体を介して前記回転除塵体を駆動する駆動モータとを備え、前記吸塵通路を左右に横断する断面略半円形状の仕切壁により、前記吸込具ケース内にモータ室を形成し、該モータ室内に前記駆動モータを収納したことを特徴とする。
【発明の効果】
【００１０】
本発明によれば、吸塵通路を左右に横断する断面略半円形状の仕切壁により、吸込具ケース内にモータ室を形成し、このモータ室内に駆動モータを収納したので、例えば、従来の電気掃除機や吸込具に比べてモータ室付近での吸塵通路の面積変化を少なくすることができる。これにより、吸塵口から吸引された清掃気流を吸塵通路内を接続管方向に向かってスムースに流すことができるので清掃気流の乱流等の発生を抑えることが可能となり、乱流による騒音発生を大幅に低減させることができるようになる。
【発明を実施するための最良の形態】
【００１１】
実施の形態１．
以下、本発明の一実施形態に基づき、本発明を詳しく説明する。図１は本実施形態における床用吸込具４を備えた電気掃除機の斜視図、図２は本実施形態における床用吸込具４の平断面図、図３は同図２の床用吸込具４の要部拡大図、図４は同図３の床用吸込具４のＡ−Ａ線矢視図、図５は本実施形態における床用吸込具４の縦断側面図をそれぞれ示している。
【００１２】
図１に示すように、本実施形態における電気掃除機は被清掃面から塵埃を吸引するための吸込具４を有しており、この床用吸込具４は、電気掃除機本体１に接続され折曲自在の蛇腹状ホース２を介して電気掃除機の運転操作を行う手元操作部３Ａが設けられ伸縮自在に構成された接続パイプ３の先端に設けられている。電気掃除機本体１内には図示しないが後述する吸塵口７から清掃気流を吸い込む電動送風機及び集塵フィルターなどを備えた集塵室が設けられており、この電動送風機が駆動されることにより床用吸込具４に設けられた吸塵口７から清掃気流と共に塵埃を集塵室内に吸い込んで集塵フィルターで捕獲する構成になっている。この場合、吸塵口７が清掃気流の上流側、集塵室が清掃気流の下流側となる。
【００１３】
床用吸込具４は図２に示すように横長略矩形状に形成された吸込具ケース６内の底面前部に横長略矩形状の吸塵口７が設けられており、この吸塵口７内にはじゅうたん等の掃除を効果的に行えるように吸塵口７の長手方向の一端から他端に渡って両端が一対の除塵体軸受け８に回動自在に軸支されると共に刷毛やブレードを有する棒状の回転除塵体９が収納されている。即ち、回転除塵体９は、吸塵口７に対応して吸込具ケース６内に収納されている。床用吸込具４の後部には可動自在に接続管５が設けられており、この接続管５が前記接続パイプ３の先端に挿入されることにより、床用吸込具４は接続パイプ３に着脱自在に接続される。
【００１４】
吸込具ケース６内には吸塵口７から接続管５に渡って吸塵通路１２が形成されている。この吸塵通路１２の右側には右仕切側壁１３Ａ、左側には左仕切側壁１４Ａで仕切られた右室１３と左室１４とが形成されると共に、右室１３及び左室１４は吸塵口７の後部側に隣接して設けられている。即ち、吸塵通路１２は一端が該吸塵口７に、他端が接続管５にそれぞれ連通すると共に、吸塵通路１２の右側（図中右側）に右室１３、左側（図中左側）に左室１４が設けられている。
【００１５】
右室１３と左室１４との間となる吸込具ケース６の略中央には回転除塵体９を回転駆動するため比較的重い重量の駆動モータ１６（この場合、床用吸込具４の重心が吸込具ケース６の略中央に位置するように駆動モータ１６を取り付けるのが好ましい）が設けられている。該駆動モータ１６は図３に示すように吸込具ケース６内に形成されたモータ室３１内に収納されている。このモータ室３１は、吸塵通路１２を左右に横断して吸塵通路１２を上下に仕切る断面略半円形状の仕切壁３０により吸塵通路１２の下側に形成し、モータ室３１の両側には吸塵通路１２を形成していない。
【００１６】
該モータ室３１は、吸込具ケース６の底面６Ａから上方に向けて立設された右仕切側壁１３Ａ、左仕切側壁１４Ａの上端に下方を中心にして上方に断面略半円形状に形成された仕切壁３０が設けられることにより吸塵通路１２の下側に形成されている。また、モータ室３１は、図４に示すように吸塵通路１２内を吸塵口７側から接続管５方向に駆動モータ１６外径に沿って延在する断面略半円形状の仕切壁３０の下方に形成されている。即ち、モータ室３１は図５に示すように吸込具ケース６の底面から突出して設けられ、その上側に吸塵通路１２が形成されている。
【００１７】
また、仕切壁３０には、冷却口３０Ａが当該仕切壁３０の前後面を貫通して設けられている。この冷却口３０Ａは、図２に示すように、仕切壁３０の接続管５側に形成されると共に、モータ室３１を接続管５側に開口して、モータ室３１内と吸塵通路１２内とを連通している。尚、３８は床用吸込具４を前後方向に円滑に動作させるための回動自在に設けられた後輪（前輪は図示せず）で、床用吸込具４の接続管５側左右に一対（右室１３と左室１４の近傍）設けられている。
【００１８】
駆動モータ１６の回転駆動軸１６Ａは右室１３内を貫通して吸込具ケース６の右端部近傍まで延在し、そこでモータ軸受け１７に回動自在に軸支されている。回転駆動軸１６Ａには直径の小さな減速ギア小１８が設けられ、回転除塵体９の回転軸９Ａには直径の大きな減速ギア大１０が設けられると共に、減速ギア小１８と減速ギア大１０には内側に減速ギア小１８と減速ギア大１０と噛み合うギアを備えた回転ベルト１９が張架されている。このように本実施形態では駆動伝達体が減速ギア大１０、減速ギア１８、回転ベルト１９で構成されている。この場合、高速で回転する駆動モータ１６の回転を、減速ギア小１８と減速ギア大１０にて減速して回転除塵体９を低速で回転し回転除塵体９の駆動力を増している。係る右室１３は、回転ベルト１９の駆動モータ１６側に形成されている。なお、駆動伝達体としては複数のギアやカム等で構成しても良い。
【００１９】
なお、図３に示すように駆動モータ１６は両側（右室１３と左室１４側）に設けられ、モータ室３１内の上下に設けられた右支持片２０、左支持片２１に保持固定されている。この場合、駆動モータ１６の両側は弾性ゴム、弾性合成ゴム或いは弾性発泡樹脂などからなる振動吸収材料からなる右パッキン２２、左パッキン２３を介して支持片２０、２１に保持固定されている。このパッキン２２、２３は駆動モータ１６の振動が直接吸込具ケース６に伝わって振動や騒音が大きくなってしまうのを防止するものである。
【００２０】
モータ室３１から右室１３及び左室１４に連通する右連通孔３３、左連通孔３４は、両仕切側壁１３Ａ、１４Ａを貫通して形成されると共に、両連通孔３３、３４によってモータ室３１と右室１３及び左室１４は連通している。両連通孔３３、３４は後述する回路基板２５と駆動モータ１６とを接続するリード線２５Ａを挿入可能な大きさに形成されると共に、リード線２５Ａが挿入された状態で、所定量の空気が流通可能な大きさを呈している。
【００２１】
左室１４及び右室１３の周囲壁には、図２に示すように吸込具ケース６の内外を連通する右外気導入口３５、左外気導入口３６がそれぞれ設けられており、これら外気導入口３５、３６は吸込具ケース６の接続管５側面に設けられている。両外気導入口３５、３６も両連通孔３３、３４同様所定量の空気が流通可能な大きさを呈している。即ち、両連通孔３３、３４及び両外気導入口３５、３６は駆動モータ１６及び後述する回路基板２５に設けられた図示しない電気部品が高温になって焼損しない程度に外気を吸入できる大きさに形成されると共に、電気掃除機の吸引能力に影響を及ぼさない大きさに形成されている。
【００２２】
左室１４内には駆動モータ１６を駆動制御するための回路基板２５が収納固定されている。該回路基板２５は、リード線２５Ａにて駆動モータ１６に接続されると共に、回路基板２５は図示しないリード線にて前記手元操作部３Ａ、ホース２を介して電気掃除機本体１から一般家庭に供給されている商用交流電源に接続される。尚、右室１３と左室１４とを略同等に構成しているため回路基板２５を右室１３内に設けても差し支えない。この場合も、床用吸込具４の重心が吸込具ケース６の略中央に位置するように駆動モータ１６の位置を考慮して取り付けるのが好ましい。
【００２３】
そして、図５に示すように、電気掃除機本体１内に設けられた図示しない電動送風機及び回転除塵体９が回転（図中矢印）すると、これによって掻き取られた被掃除面の塵埃は、床用吸込具４に設けられた吸塵口７から清掃気流と共に吸塵通路１２内に吸引され、吸塵通路１２を左右に横断して吸塵通路１２を上下に仕切る断面略半円形状の仕切壁３０の上側を通過して接続管５、ホース２を介して、電気掃除機本体１内の集塵室（図示せず）内に吸引される。清掃気流と共に集塵室に導入された塵埃は電気掃除機本体１内に設けられた図示しない集塵フィルターに捕獲され、清掃気流だけが電気掃除機本体１外に排出される。
【００２４】
このとき、モータ室３１は右仕切側壁１３Ａ、左仕切側壁１４Ａに設けられた右連通孔３３、左連通孔３４によって右室１３及び左室１４に連通すると共に、右室１３内及び左室１４内は右外気導入口３５、左外気導入口３６を介して床用吸込具４の外部に連通しているので、電気掃除機本体１内に設けられた図示しない電動送風機が吸塵口７から清掃気流を吸引する際、両外気導入口３５、３６、両連通孔３３、３４、右室１３、左室１４、及び右外気導入口３５、左外気導入口３６を介して床用吸込具４の外部から外気を吸い込む（図２、図３、図５矢印）。
【００２５】
これによって、モータ室３１に収納固定された駆動モータ１６を冷却することができるので、駆動モータ１６が焼損するなどの不都合を未然に防止することが可能となる。尚、外気がモータ室３１内を通過する際、左室１４を通過するので左室１４内の回路基板２５に設けられた図示しない電気部品が高温になり焼損してしまうなどの不都合を防止することができるのは勿論である。
【００２６】
このように、吸塵通路１２を左右に横断する断面略半円形状の仕切壁３０により、吸込具ケース６内に駆動モータ１６を収納したモータ室３１を形成すると共に、モータ室３１の両側に吸塵通路１２を形成せず吸塵通路１２の下側にモータ室３１を形成しているので、例えば、従来の電気掃除機用床用吸込具に比べてモータ室３１付近での吸塵通路１２の面積変化を少なくすることができる。これにより、吸塵口７から吸引された清掃気流は吸塵通路１２内を接続管５方向に向かってスムースに流れるので清掃気流の乱流等の発生を抑えることが可能となり、乱流による騒音発生を大幅に低減させることができるようになる。
【００２７】
特に、モータ室３１を吸塵通路１２の下面側に形成しているので、回転除塵体９を駆動する比較的重い重量の駆動モータ１６を床用吸込具４の吸塵口７の下面側且つ左右方向の略中央に設けることができる。この場合、吸込具ケース６の下方中心に重心を置くことができるので、床用吸込具４の操作時の重量バランスを安定させることができる。これにより、吸込具ケース６の左右どちらかが重くて、重量バランスが中心よりずれてしまい手等にアンバランス感を与えるなどの不都合を未然に解消することができるようになる。従って、床用吸込具４を安定して操作することができ重量バランスに優れた電気掃除機用の床用吸込具４を提供することができるようになる。
【００２８】
また、冷却口３０Ａは清掃気流の下流側となる断面略半円形状の仕切壁３０の接続管５側に開口しているので、清掃気流が仕切壁３０の下流側で乱れて渦流（図５中斜線部分）が発生した場合などでも、仕切壁３０の下流側の渦流が発生箇所に冷却口３０Ａ、モータ室３１、両連通孔３３、３４、右室１３、左室１４、及び右外気導入口３５、左外気導入口３６を介して床用吸込具４の外部から空気を吸い込めるので仕切壁３０の下流側に渦流が発生するのを防止することができる。これにより、渦流による振動発生を防止することができる。また、仕切壁３０の下流側に塵埃が詰まって風切り音などの騒音発生も防止することができる。なお、吸塵通路１２が、万一清掃中に塞がれてしまったとしても、冷却口より外気が入り込み、掃除機本体に内蔵されている電動送風機（図示せず）の異常加熱を防止することもできる。
【００２９】
更に、モータ室３１左右の右仕切側壁１３Ａ、左仕切側壁１４Ａに右連通孔３３、左連通孔３４を設けているので、回路基板２５と駆動モータ１６とを結ぶリード線２５Ａを左連通孔３４を通して接続することができる。これにより、吸塵通路１２内にリード線２５Ａをきっちり安定して成形処理することができる。従って、リード線２５が吸塵通路１２内に露出してしまうこともないので、リード線２５に塵埃が引っかかってしまうなどの不都合も未然に防止することができるようになる。
【００３０】
実施の形態２．
図６は、本発明の他の一実施形態の電気掃除機用の床用吸込具４の縦断側面図である。尚、前述の実施の形態と同じ部分にはこれと同じ符号を付し、説明を省略する。この場合、モータ室３１を吸塵通路１２の上面側に形成している。即ち、モータ室３１は、吸込具ケース６の上面６Ｂから下方に向けて垂下された右仕切側壁１３Ａ、左仕切側壁１４Ａの下端に上方を中心にして下方に断面略半円形状に形成された仕切壁３０が設けられることにより吸塵通路１２の上側に形成されている。
【００３１】
このモータ室３１は、吸塵通路１２内を吸塵口７側から接続管５方向に駆動モータ１６外径に沿って延在する断面略半円形状の仕切壁３０の上方に形成されている。即ち、モータ室３１は実施の形態１の吸塵通路１２内下側に設けたモータ室３１に対して、吸塵通路１２内上側に設けている。このモータ室３１両側には図示しないが前述した連通孔３３、３４同様の連通孔及び外気導入口３５、３６同様の外気導入口を備えた右室１３と左室１４同様の右室と左室が形成されている。
【００３２】
このように、モータ室３１を、吸塵通路１２の上側に形成したので、吸塵口７から接続管５までの吸塵通路１２を略水平に形成することが可能となる。これにより、吸塵口７から吸引された清掃気流を接続管５に向かって円滑に導入することができるようになる。従って、電気掃除機用床用吸込具４の吸塵効率を大幅に向上することができるようになる。他実施の形態１同様の効果を得ることができる。
【図面の簡単な説明】
【００３３】
【図１】本実施の形態における床用吸込具を備えた電気掃除機の斜視図である。（実施例１）
【図２】本実施の形態における床用吸込具の平断面図である。
【図３】同図２の床用吸込具の要部拡大図である。
【図４】同図３の床用吸込具のＡ−Ａ線矢視図である。
【図５】本発明の一実施の形態に係る電気掃除機用床用吸込具の縦断側面図である。
【図６】本発明のもう一つの実施の形態の本発明に係る電気掃除機用床用吸込具の縦断側面図である。
【符号の説明】
【００３４】
１  電気掃除機本体、２  ホース、３  接続パイプ、４  床用吸込具、５  接続管、６  吸込具ケース、７  吸塵口、９  回転除塵体、１２  吸塵通路、１３  右室、１３Ａ  右仕切側壁、１４  左室、１４Ａ  左仕切側壁、１６  駆動モータ、２０  支持片、２１  支持片、２５  回路基板、２５Ａ  リード線、３０  仕切壁、３０Ａ  冷却口、３１  モータ室、３３  連通孔、３４  連通孔、３５  右外気導入口、３６  左外気導入口。
【図１】
2005131188.tif 000003
【図２】
2005131188.tif 000004
【図３】
2005131188.tif 000005
【図４】
2005131188.tif 000006
【図５】
2005131188.tif 000007
【図６】
2005131188.tif 000008